(57)【特許請求の範囲】
【請求項１】
コンテナの一側壁に送風機が付設された生葉自動コンテナを設置した建屋の床を、この設置された生葉自動コンテナの前又は横から段々に傾斜させ、傾斜段の上流から下流へ水を流す手段を設けて、建屋内の温度を下げ湿度を上げると共に、この温度を下げ湿度を上げられた空気を、上記コンテナの一側壁に付設された送風機で生葉自動コンテナの生葉室内の温度を下げ湿度を上げたことを特徴とする生葉自動コンテナ用建屋。
【請求項２】
コンテナの一側壁に送風機を付設された生葉自動コンテナを設置した建屋の床に、この設置された生葉自動コンテナの前又は横から複数本のピットを形成すると共に複数本のピット内に小石、棒を置き或いは凹凸を付設し、このピットに水を循環させるための水を流すポンプを設けて、建屋内の温度を下げ湿度を上げると共に、この温度を下げ湿度を上げられた空気を、上記コンテナの一側壁に付設された送風機で生葉自動コンテナの生葉室内の温度を下げ湿度を上げたことを特徴とする生葉自動コンテナ用建屋。
【請求項３】
水を流す手段に水中に空気を送り込む手段を備えたことを特徴とする請求項１又は請求項２のいずれかに記載の生葉自動コンテナ用建屋。
【発明の詳細な説明】
【０００１】
【産業上の利用分野】
本発明は、生葉自動コンテナを設置した建屋に関する。
【０００２】
【従来の技術】
従来、生葉自動コンテナを設置した建屋を冷房する所もあるが、建屋の全体を冷房することは、設備費とその維持費がかさみ、それでいて生葉室の温度の低下はするが、湿度が下がりすぎ、生葉室の管理としては問題があった。
【０００３】
そして、生葉室の最適な管理としては、温度を上げ過ぎず、生葉自動コンテナの生葉室の温度を下げると共に、湿度を上げることで、生葉の品質向上を計れることに着目して考え出したものである。
【０００４】
【発明が解決しようとする課題】
そこで、第１に、食品工場としての建屋内の温度を下げ湿度を上げて、しいては清潔でしかも建屋の床に設置した生葉自動コンテナの生葉室の建屋の床を前又は横から段々に傾斜させ、傾斜段の上流から下流へ水を流す手段を設けて、段々により空気と水の接触を多くできより確実に建屋内の温度を下げ湿度を上げること、そしてこの温度を下げ湿度を上げられた空気を、上記コンテナの一側壁に付設された送風機で生葉自動コンテナの生葉室内の温度を積極的に下げ湿度を積極的に上げれることで、生葉の品質向上を計ること。第２に、食品工場として、コンテナの一側壁に送風機を付設された生葉自動コンテナを設置した建屋の床に、この設置された生葉自動コンテナの前又は横から複数本のピットを形成すると共に複数本のピット内に小石、棒を置き或いは凹凸を付設し、このピットに水を循環させるための水を流すポンプを設けて、清潔で、かつ簡単な構造の付加のみで、しかもせせらぎのある安堵感でイメージアップができ、しかも生葉自動コンテナの生葉室の温度を積極的に下げると共に、湿度を積極的に上げることで、生葉の品質向上を計ること。第３に、上記第１又は第２のいずれかの課題に加えて、食品工場として、清潔でしかも簡単な手段の付加のみで、しかもせせらぎのある安堵感でイメージアップができ、しかも生葉自動コンテナの生葉室の温度をより確実に下げると共に、湿度をより確実に上げることで、生葉の品質向上を計ること。
【０００５】
【課題を解決するための手段】
本発明は上記課題を解決するために、第１に、コンテナの一側壁に送風機が付設された生葉自動コンテナを設置した建屋の床を、この設置された生葉自動コンテナの前又は横から段々に傾斜させ、傾斜段の上流から下流へ水を流す手段を設けて、建屋内の温度を下げ湿度を上げると共に、この温度を下げ湿度を上げられた空気を、上記コンテナの一側壁に付設された送風機で生葉自動コンテナの生葉室内の温度を下げ湿度を上げたことを特徴とする生葉自動コンテナ用建屋を要旨とする。第２に、コンテナの一側壁に送風機を付設された生葉自動コンテナを設置した建屋の床に、この設置された生葉自動コンテナの前又は横から複数本のピットを形成すると共に複数本のピット内に小石、棒を置き或いは凹凸を付設し、このピットに水を循環させるための水を流すポンプを設けて、建屋内の温度を下げ湿度を上げると共に、この温度を下げ湿度を上げられた空気を、上記コンテナの一側壁に付設された送風機で生葉自動コンテナの生葉室内の温度を下げ湿度を上げたことを特徴とする生葉自動コンテナ用建屋を要旨とする。第３に、水を流す手段に水中に空気を送り込む手段を備えたことを特徴とする請求項１又は請求項２のいずれかに記載の生葉自動コンテナ用建屋を要旨とする。
【０００６】
【作用】
第１に、コンテナの一側壁に送風機が付設された生葉自動コンテナを設置した建屋の床を、この設置された生葉自動コンテナの前又は横から段々に傾斜させ、上流から下流へ水を流すことで床の広い面積で積極的に水を蒸発させることができ、清潔な涼しさを感じ、水の蒸発潜熱を利用して、建屋内の温度を下げ、この下げられた空気をコンテナの一側壁に付設された送風機で生葉自動コンテナの生葉室内の温度を下げれると共に、水の蒸発で建屋内の湿度が上り、この湿度が上げられた空気をコンテナの一側壁に付設された送風機で生葉自動コンテナの生葉室内の湿度を上げたことになるので、生葉自動コンテナの生葉室内の生葉の品質の向上が計られる。第２に、コンテナの一側壁に送風機を付設された生葉自動コンテナを設置した建屋の床に、この設置された生葉自動コンテナの前又は横から複数本のピットを形成すると共に複数本のピット内に小石、棒を置き或いは凹凸を付設し、このピットに水を循環させるための水を流すポンプを設けて、建屋内の温度を下げ湿度を上げると共に、この温度を下げ湿度を上げられた空気を、上記コンテナの一側壁に付設された送風機で生葉自動コンテナの生葉室内の温度を下げ湿度を上げれる作用がより大きくなるとともに積極的に水の蒸発を促進させ、小川のせせらぎが感じさせてくれる１／ｆゆらぎが発生し、安堵感のある工場となりイメージアップにつながる。第３に、第１又は第２のいずれかの作用に加えて、水中に積極的に空気を吹き込むことで、より一層確実に水と空気の接触が多くなり建屋の温度の低下と湿度の上昇に貢献するものでよりよい生葉自動コンテナの生葉室内の生葉の品質向上を計ることができる。
【０００７】
【実施例】
以下、本発明の生葉自動コンテナ用建屋について、図１乃至図３の各実施例に基づいて説明する。図１に示すように、生葉自動コンテナ１…を設置した建屋Ａの床２を図示では生葉自動コンテナ１に対して横から傾斜３させ、又は図示していないが生葉自動コンテナに対して前から傾斜させ（以下、「前又は横から」という）、この斜面の上流から下流へ水を自然の流れ、又はポンプ１０で水を循環させることで、清涼感をもたせ、水の温度又はその気化熱で、建屋Ａ内の温度を下げ湿度を上げることで、設置されている生葉自動コンテナの生葉室内の温度を下げ湿度を上げれる。図３に示すように、生葉自動コンテナ１…を設置した建屋Ａの床２を前又は横から段々の傾斜３ａとしてもよい。この段々の傾斜３ａとすることで、建屋内の空気と水の接触が増し水の潜熱をより一層利用できる。また、この傾斜３上に凹凸（小石や棒）４を付設させることで、小川のせせらぎの音を発生させることができ、人間が快いと感じる小川のせせらぎ、名曲の周波数ゆらぎなどの１／ｆゆらぎが発生するので、心地よい雰囲気の内で作業ができる。また、図２に示すように、建屋の床に前又は横から少なくとも１本のピット５を形成し、ピット上にはグレーチング鋼板９を架け、このピットに水を自然の流れ、又はポンプアップ１０して水を循環させるてもよい。このピット内に小石、棒４ａ等を置き或いは凹凸を形成し、このピットに水を流して、人間が快いと感じる小川のせせらぎ、名曲の周波数ゆらぎなどの１／ｆゆらぎが発生するので、心地よい雰囲気の内で作業ができる。さらに、小石、棒４ａ等を置き或いは凹凸を形成しすることで、水流に気泡が発生することで、せせらぎの音と、水と空気の接触が多くなり室温の低下と湿度の上昇に貢献するので、エァーポンプ６を用いて水中に空気を送り込み気泡を積極的に発生させるとより一層上記の水と空気の接触が多くなり室温の低下と湿度の上昇に役立つものである。
さらには、水を流す前工程として、建屋の壁面に簾７等を掛けシャワー状に水を流し、この簾等の裏面から送風手段（扇風機等）８を設置した。
なお、これらの実施例では、建屋の床が斜面や段々となっているので、生葉自動コンテナの周囲の床に、床の傾斜や段々とを修正するよう傾斜や段々を付けたすのこ又は桟を敷いた作業台で水平を保つようにするとよい。また、水利条件があれば自然の河川や池等を利用したり、屋根に集水手段と地下にタンクを備えて雨水を利用してもよい。符号１１は、生葉自動コンテナの送風機である。符号１２は、防水シートである。図示していないが、ピットを別体の例えばステンレス製の樋としてもよい。さらに、床の傾斜や段々の終末には溝を設け、ポンプ１０で水を循環させるとよい。
【０００８】
次ぎに、動作について説明すると、生葉自動コンテナを設置した建屋の壁面に簾等を掛け水を流し、この簾等の裏面から送風手段で送風し、床を前又は横から傾斜させ、上流から下流へ水を自然の流れ、又はポンプアップして水を循環させることで、水の温度又はその気化熱で、建屋内の温度を下げ湿度を上げることができ、この建屋内に設置されている生葉自動コンテナの生葉室内の温度を下げ湿度を上げれる。また、床を前又は横から段々の傾斜とすることで、建屋内の空気と水の接触が増し水の潜熱をより一層利用できる。また、この傾斜上に凹凸（小石や棒）を付設させることで、小川のせせらぎの音を発生させることができ、人間が快いと感じる小川のせせらぎ、名曲の周波数ゆらぎなどの１／ｆゆらぎが発生するので、心地よい雰囲気の内で作業ができる。さらに、斜面にかえてピットとし、凹凸を形成しても同様なものができる。さらにまた、水中に積極的に空気を吹き込んでもよりよい。さらには、水を流す前工程として、建屋の壁面に簾等を掛け水を流し、この簾等の裏面から送風手段を設置しすることで、よりよくこの建屋内に設置されている生葉自動コンテナの生葉室内の温度を下げ湿度を上げれる。
【０００９】
【効果】
第１に、コンテナの一側壁に送風機が付設された生葉自動コンテナを設置した建屋の床を、この設置された生葉自動コンテナの前又は横から段々に傾斜させ、上流から下流へ水を流すことで床の広い面積で積極的に水を蒸発させることができ、清潔な涼しさを感じ、水の蒸発潜熱を利用して、建屋内の温度を下げ、この下げられた空気をコンテナの一側壁に付設された送風機で生葉自動コンテナの生葉室内の温度を下げれると共に、水の蒸発で建屋内の湿度が上り、この湿度が上げられた空気をコンテナの一側壁に付設された送風機で生葉自動コンテナの生葉室内の湿度を上げたことになるので、生葉自動コンテナの生葉室内の生葉の品質の向上が計られる。床を前又は横から傾斜させ、上流から下流へ水を流すという簡単な手段の付加することで、清涼感をもたせ、また、床の広い面積で積極的に水を蒸発させることができて、積極的に水の蒸発潜熱を利用して、建屋内の温度を下げ、この下げられた空気をコンテナの一側壁に付設された送風機で生葉自動コンテナの生葉室内の温度を下げれると共に、水の蒸発で建屋内の湿度が上り、この湿度が上げられた空気をコンテナの一側壁に付設された送風機で生葉自動コンテナの生葉室内の湿度を上げたことになるので、生葉自動コンテナの生葉室内の生葉の葉焼けを防止でき品質の向上を安価に計れる。
【００１０】
第２に、コンテナの一側壁に送風機を付設された生葉自動コンテナを設置した建屋の床に、この設置された生葉自動コンテナの建屋の床に前又は横から複数本のピットを形成し、このピットに水を循環させるための水を流すポンプを設け、この複数本のピット内に小石、棒を置き、或いは凹凸を形成したことにより、積極的に水の蒸発を促進させ、小川のせせらぎが感じさせてくれる１／ｆゆらぎが発生し、安堵感のある工場となりイメージアップができる。第３に、第１又は第２のいずれかの効果に加えて、流水の過程で水中に積極的に空気を吹き込むことで、より一層確実に水と空気の接触が多くなり建屋の温度の低下と湿度の上昇に貢献するものでよりよい生葉自動コンテナの生葉室内の生葉の品質向上を計ることができる。
【図面の簡単な説明】
【図１】本発明の一部省略の生葉自動コンテナ用建屋の正面図である。
【図２】本発明の他の実施例の要部の生葉自動コンテナ用建屋の正面図である。
【図３】本発明の他の実施例の要部の生葉自動コンテナ用建屋の正面図である。
【符号の説明】
１            生葉自動コンテナ
２            建屋の床
３            前又は横から傾斜
３ａ          前又は横から段々の傾斜
４            凹凸（小石や棒）
４ａ          ピット内の小石、棒
５            ピット
６            エァーポンプ
７            簾
８            送風手段
【図１】
0003738400.tif 000002
【図２】
0003738400.tif 000003
【図３】
0003738400.tif 000004